(57)【要約】【課題】人体への安全性を担保しつつ所望の対象に効率的に給電可能な二次元無線給電シート、二次元無線給電システム、及びその敷設方法を提供すること。【解決手段】本発明によれば、二次元無線給電シートであって、誘電体層と、開口を有する開口層と、前記開口を有しない導電層とを備え、前記誘電体層は、前記開口層及び前記導電層に挟まれてなることで電磁波を導波可能に構成され、且つ２層以上からなり、そのうち少なくとも隣接する２層の間に導体部材が設けられ、前記開口層は、導体であって前記開口近傍の空間に前記電磁波の近接場が発生するように構成され、前記導電層は、導体であって前記誘電体層を挟んで前記開口層に対向するように位置する、二次元無線給電シートが提供される。【選択図】図１
2020043686.tif 000002
【特許請求の範囲】
【請求項１】
二次元無線給電シートであって、
誘電体層と、開口を有する開口層と、前記開口を有しない導電層とを備え、
前記誘電体層は、
前記開口層及び前記導電層に挟まれてなることで電磁波を導波可能に構成され、且つ
２層以上からなり、そのうち少なくとも隣接する２層の間に導体部材が設けられ、
前記開口層は、導体であって前記開口近傍の空間に前記電磁波の近接場が発生するように構成され、
前記導電層は、導体であって前記誘電体層を挟んで前記開口層に対向するように位置する、
二次元無線給電シート。
【請求項２】
請求項１に記載の二次元無線給電シートにおいて、
前記開口層、前記誘電体層、及び前記導電層が重なる方向を層方向と定義すると、
前記誘電体層は、前記層方向に重なる２層を有し、前記２層の間に前記導体部材が挟まれてなる、
二次元無線給電シート。
【請求項３】
請求項１又は請求項２に記載の二次元無線給電シートにおいて、
前記導体部材は、前記誘電体層の一の端部から別の端部まで延在するように構成される、
二次元無線給電シート。
【請求項４】
請求項１〜請求項３の何れか１つに記載の二次元無線給電シートにおいて、
前記導電層は、前記誘電体層の周囲を囲むように構成される、
二次元無線給電シート。
【請求項５】
請求項１〜請求項４の何れか１つに記載の二次元無線給電シートにおいて、
前記開口層は、前記開口を有するようにメッシュ状に形成される、
二次元無線給電シート。
【請求項６】
請求項１〜請求項５の何れか１つに記載の二次元無線給電シートにおいて、
前記導体部材は、極板である、
二次元無線給電シート。
【請求項７】
二次元無線給電システムであって、
請求項１〜請求項６の何れか１つに記載の二次元無線給電シートと、受電カプラとを備え、
前記受電カプラは、前記二次元無線給電シートにおける前記開口層に近接すると、前記誘電体層を導波する前記電磁波から電気エネルギーを吸収可能に構成される、
二次元無線給電システム。
【請求項８】
路面又は床面に二次元無線給電シートを敷設するための敷設方法であって、
前記二次元無線給電シートは、誘電体層と、導体部材とを備え、
当該敷設方法は、導体部材配置工程を備え、
前記導体部材配置工程では、前記路面又は床面に敷設された前記誘電体層の上に前記導体部材を配置する、
敷設方法。
【請求項９】
請求項８に記載の敷設方法において、
前記導体部材配置工程では、ロール状に巻かれた前記導体部材を伸ばしながら配置する、
敷設方法。
【請求項１０】
請求項８又は請求項９に記載の敷設方法において、
前記二次元無線給電シートは、導電層を更に備え、
当該敷設方法は、第１及び第２誘電体層配置工程を更に備え、
前記導体部材配置工程より前の工程である前記第１誘電体層配置工程では、前記路面又は床面に敷設された前記導電層の上に前記誘電体層である第１誘電体層を配置し、
前記導体部材配置工程より後の工程である前記第２誘電体層配置工程では、前記路面又は床面に敷設された前記導体部材を前記第１誘電体層と挟むように、前記誘電体層である第２誘電体層を配置する、
敷設方法。
【請求項１１】
請求項１０に記載の敷設方法において、
前記二次元無線給電シートは、開口を有する開口層を更に備え、
当該敷設方法は、開口層配置工程を更に備え、
前記第２誘電体配置工程より後の工程である前記開口層配置工程では、前記路面又は床面に敷設された前記第２誘電体の上に前記開口層を配置する、
敷設方法。
【発明の詳細な説明】
【技術分野】
【０００１】
本発明は、二次元無線給電シート、二次元無線給電システム、及び路面又は床面に二次元無線給電シートを敷設するための敷設方法に関する。
【背景技術】
【０００２】
近年、スマートフォン、ウェアラブル端末、電気自動車への非接触充電等に代表される、ワイヤレス電力伝送（Ｗｉｒｅｌｅｓｓ  Ｐｏｗｅｒ  Ｔｒａｎｓｍｉｓｓｉｏｎ：ＷＰＴ）の研究開発と実用化が活発になっている。例えば、特許文献１には、特定空間内を移動する移動体が電力を受電できるよう無線で電力を供給する無線給電装置（コイルを用いた電磁誘導型のＷＰＴ）が開示されている。
【先行技術文献】
【特許文献】
【０００３】
【特許文献１】特開２０１６−２７７８２号公報
【非特許文献】
【０００４】
【非特許文献１】Ｔａｋａｓｈｉ  Ｏｈｉｒａ，”Ａｎｇｕｌａｒ  ｅｘｐｒｅｓｓｉｏｎ  ｏｆ  ｍａｘｉｍｕｍ  ｐｏｗｅｒ  ｔｒａｎｓｆｅｒ  ｅｆｆｉｃｉｅｎｃｙ  ｉｎ  ｒｅｃｉｐｒｏｃａｌ  ｔｗｏ−ｐｏｒｔ  ｓｙｓｔｅｍｓ”，２０１４  ＩＥＥＥ  Ｗｉｒｅｌｅｓｓ  Ｐｏｗｅｒ  Ｔｒａｎｓｆｅｒ  Ｃｏｎｆｅｒｅｎｃｅ，８−９  Ｍａｙ  ２０１４，Ｊｅｊｕ，Ｓｏｕｔｈ  Ｋｏｒｅａ
【発明の概要】
【発明が解決しようとする課題】
【０００５】
ところで、ＷＰＴの多くの用途においては、その給電効率の高さが重要視される。一方で、ＷＰＴは機器の外部空間に積極的に電磁界を生じさせることで送受信機間を電磁気的に結合させるものであるから、人体がこの電磁界に曝される場合の安全性や他の電磁波を用いる機器への電磁干渉性（ＥｌｅｃｔｒｏＭａｇｎｅｔｉｃ  Ｉｎｔｅｒｆｅｒｅｎｃｅ：ＥＭＩ）の観点からの要求も考慮する必要がある。すなわち換言すると、特許文献１に開示されるようなＷＰＴの手法では、安全性と効率性とを両立した給電を実現することが困難である。
【０００６】
本発明は、かかる事情を鑑みてなされたものであり、人体への安全性を担保しつつ所望の対象に効率的に給電可能な二次元無線給電シート、二次元無線給電システム、及びその敷設方法を提供することを目的とする。
【課題を解決するための手段】
【０００７】
本発明によれば、二次元無線給電シートであって、誘電体層と、開口を有する開口層と、前記開口を有しない導電層とを備え、前記誘電体層は、前記開口層及び前記導電層に挟まれてなることで電磁波を導波可能に構成され、且つ２層以上からなり、そのうち少なくとも隣接する２層の間に導体部材が設けられ、前記開口層は、導体であって前記開口近傍の空間に前記電磁波の近接場が発生するように構成され、前記導電層は、導体であって前記誘電体層を挟んで前記開口層に対向するように位置する、二次元無線給電シートが提供される。
【０００８】
本発明に係る二次元無線給電シートは、前述の通り開口近傍の空間に前記電磁波の近接場が発生するように構成されるが、この近接場は開口から数ｍｍの減衰距離で急速に減衰するため、人体への安全性が高く担保されるという第１の効果を奏する。また、前述の通り２層以上の誘電体層のうちの少なくとも隣接する２層の間に導体部材が設けられることで、内部を導波する電磁波の漏れ出しを好適に抑制することができ、高効率な給電が実現されるという第２の効果を奏する。
【図面の簡単な説明】
【０００９】
【図１】本実施形態に係る二次元無線給電シートの概要図。
【図２】図１の分解図。
【図３】メッシュ層の態様の一例を示す概要図。
【図４】二次元無線給電シートをモジュール化した場合の極板の態様の一例を示す概要図。
【図５】［図５Ａ］実施例に係る模式図。［図５Ｂ］比較例に係る模式図。
【図６】［図６Ａ］実施例に係る評価結果。［図６Ｂ］比較例に係る評価結果。
【図７】本実施形態に係る二次元無線給電シートを敷設するための敷設方法の流れを示す図。
【図８】変形例に係る二次元無線給電シートの概要図。
【発明を実施するための形態】
【００１０】
以下、図面を用いて本発明の実施形態について説明する。以下に示す実施形態中で示した各種特徴事項は、互いに組み合わせ可能である。
【００１１】
１．二次元無線給電シート
図１は、本実施形態に係る二次元無線給電シートＳａの概要図であり、図２は、図１の分解図である。図１及び図２に示されるように、二次元無線給電シートＳａは、メッシュ層１（特許請求の範囲における「開口層」の一例）と、誘電体層２と、導電層３と、極板４（特許請求の範囲における導体部材の一例）とを備える。以下、各構成要素について更に説明する。
【００１２】
１．１  メッシュ層１
図３は、メッシュ層の態様の一例を示す概要図である。メッシュ層１は、図３に示されるように、メッシュ状に形成された導体の層である。すなわち、メッシュ層１は、導体部１１と開口１２とからなる。なお視認性を考慮して、図１及び図２では開口１２の表示を省略している。メッシュ層１は、開口１２近傍の空間において電磁波の近接場（エバネッセント場）が発生するように構成される。また、ある導体部１１ａから隣接する導体部１１ｂまでの距離をメッシュ周期ｐと定義し、導体部１１の幅をメッシュ幅ｗと定義すると、メッシュ周期ｐやメッシュ幅ｗによって、近接場のエネルギーを可変させることができる。例えば、メッシュ周期ｐを小さくすると近接場のエネルギーが小さくなる。なお、導体部１１としては、銀、銅、金、アルミニウム、鉄等の導電性の高い素材が適宜採用されるとよい。
【００１３】
なお、二次元無線給電シートＳａの表面（メッシュ層１の表面）から図１及び図２等に示される＋ｚ軸方向の距離で数ｍｍの間に急速に電磁界強度が減衰する。すなわち、人体への安全性が担保されているといえる。好ましくは、二次元無線給電シートＳａを実施するにたり、数ｍｍの厚さをもつ絶縁体を表面にかぶせることで、二次元無線給電シートＳａが人体やその他の物体が接触した場合の電磁波の吸収や散乱を大きく低減させるとよい。
【００１４】
１．２  誘電体層２
誘電体層２は、図１及び図２に示されるように、メッシュ層１と導電層３とに挟まれてなる。このような構成により、誘電体層２は、電磁波を導波可能に構成される。この際、電磁波の磁場ベクトルＨがｙ軸方向に向き、電場ベクトルＥがｚ軸方向を向く。また、電磁波の伝搬方向はｘ軸方向となる。
【００１５】
誘電体層２は、誘電体層２ａ（特許請求の範囲における「第２誘電体層」の一例）及び誘電体層２ｂ（特許請求の範囲における「第１誘電体層」の一例）の２層を備える。ここでは、メッシュ層１と、誘電体層２ａ、２ｂと、導電層３とが図中のｚ軸方向（特許請求の範囲における「層方向」の一例）に重なっている。特に、ｚ軸方向に重なっている誘電体層２ａ、２ｂの間には極板４が挟まれるように設けられることに留意されたい。なお、誘電体層２ａ、２ｂは同一素材の誘電体層２でもよいし、互いに異なるものを採用してもよい。誘電体層２の高さ（厚さ）ｈと、比誘電率εとによって、近接場の減衰距離や二次元無線給電シートＳａの内部と外部とのエネルギーの配分比といった導波させる電磁波の導波モードのプロパティを可変させることができる。なお、誘電体層２としては、比誘電率εが低く耐久性の高いポリスチレン（比誘電率ε＝２．４〜２．６）、ポリプロピレン（比誘電率ε＝２．０〜２．３）等が適宜採用されるとよい。また、稠密な材料だけでなく、誘電体の発泡体やハニカム構造等、誘電体を材料とする中空の構造体で構成してもよい。
【００１６】
１．３  導電層３
導電層３は、導体の層である。二次元無線給電シートＳａを路面又は床面に敷設するにあたっては、導電層３が路面又は床面に接触することとなる。また、導電層３は、電気的に接地（アース、グラウンド）されている。
【００１７】
１．４  極板４
極板４は、板状の導体であり、例えば銅板である。前述の通り、極板４は、誘電体層２ａ、２ｂの間に挟まれるように設けられる。かかる極板４は、電磁波エネルギーのガイドのように働くので、路面又は床面等において所望の経路に沿って給電源を生成することができる。
【００１８】
特に、二次元無線給電シートＳａをモジュール化して予め定められたユニット単位で実施する場合には、図４Ａや図４Ｂに示されるように、極板４は、誘電体層２の一の端部４１から別の端部４２まで延在するように構成される。このような構成を有することにより、二次元無線給電シートＳａのモジュールを自在に組み合わせて所望の経路を実現することができる。もちろん図４Ａ及び図４Ｂに示された形状の極板４に限らず、様々な形状の極板４を実施するとよい。
【００１９】
更に、極板４は、二次元無線給電シートＳａの給電効率に大きく影響する構成要素である。具体的には、極板４を導入しない二次元無線給電シートＳｂ（後述の図５Ｂ参照）を実施する場合、ｘｙ平面の導波路端で電波が反射し、その一部が二次元無線給電シートＳｂの外に放射して損失が発生する（放射損）。一方、極板４を有する二次元無線給電シートＳａでは、上下に電磁場が集中するため導波路端での放射損が低減される。より具体的には、極板４を導入すると、これがない場合に比して、最大給電効率のそれぞれのベストモード比較で１２倍程度の高効率化を実現することができる。詳細については、第２節「実施例と比較例」において説明する。
【００２０】
２．実施例と比較例
発明者らは、前述のような構成を有する二次元無線給電シートＳａの極板４の効果を検証するために評価実験を行った。第２節では、極板４を有する二次元無線給電シートＳａを用いた例を実施例、極板４を有しない二次元無線給電シートＳｂを用いた例を比較例として説明をする。図５Ａは、実施例に係る模式図であり、図５Ｂは、比較例に係る模式図を示している。なお、図５Ｂに示される二次元無線給電シートＳｂ（比較例）では、極板４を挟まないため、誘電体層２を１層としている。
【００２１】
２．１  実施例
実施例では、長さ（ｘ軸方向）が２０００ｍｍ、幅（ｙ軸方向）が５００ｍｍの二次元無線給電シートＳａを採用した。誘電体層２ａ、２ｂは、発泡ポリスチレン（比誘電率ε＝１．０４）である。極板４は、長さ（ｘ軸方向）が１５２５ｍｍ、幅（ｙ軸方向）が１３０ｍｍの銅板である。そして、二次元無線給電シートＳａにおけるメッシュ層１（メッシュ周期７ｍｍ、メッシュ幅１ｍｍ、アルミニウム製）から４０ｍｍの位置に受電カプラＣを設置し、ｘｙ平面方向に５０ｍｍごとに変位させた。なお、受電カプラＣは、二次元無線給電シートＳａにおけるメッシュ層１に近接（例えば４０ｍｍの距離）すると、誘電体層２を導波する電磁波から電気エネルギーを吸収可能に構成されるものである。すなわち、二次元無線給電シートＳａから受電カプラＣへの給電効率を実験によって評価した。
【００２２】
２．２  比較例
比較例では、長さ（ｘ軸方向）が２０００ｍｍ、幅（ｙ軸方向）が５００ｍｍの二次元無線給電シートＳｂを採用した。誘電体層２は、発泡ポリスチレン（比誘電率ε＝１．０４）である。そして、二次元無線給電シートＳｂにおけるメッシュ層１（メッシュ周期７ｍｍ、メッシュ幅１ｍｍ、アルミニウム製）から４０ｍｍの位置に受電カプラＣを設置し、ｘｙ平面方向に５０ｍｍごとに変位させた。なお、受電カプラＣは、二次元無線給電シートＳｂにおけるメッシュ層１に近接（例えば４０ｍｍの距離）すると、誘電体層２を導波する電磁波から電気エネルギーを吸収可能に構成されるものである。すなわち、二次元無線給電シートＳｂから受電カプラＣへの給電効率を実験によって評価した。
【００２３】
２．３  結果
図６Ａ及び図６Ｂは、実施例及び比較例に係る評価結果（最大給電効率）をそれぞれ示している。ｘｙ平面上の変位によっても差異はあるものの、実施例では、最大給電効率８０％を超える値（ベストモードで８７％程度）も観測されている。一方で、比較例では、７％以下の値しか観測されていない。このように、極板４を導入することによって、ベストモード比較で１２倍程度というように、給電効率を大幅に上昇させることができることが確認された。これは、極板４を入れたことで、受電カプラＣ直下の電力密度が高まったこと、及び二次元無線給電シートＳａの側面から漏れ出す電力が減少したことに由来すると考えられる。このような二次元無線給電シートＳａを例えば道路上に配置すれば、自動車の走行中に当該自動車へ無線給電を行うことができると期待されうる。
【００２４】
２．４  最大給電効率
評価指標として用いた最大給電効率は、ｋＱ積理論に基づき、次のように算出されるものである。まず、不図示のベクトルネットワークアナライザによって、給電側ポート（ポート１）と受電側ポート（ポート２）との間のＳパラメータが取得される。続いて、Ｓパラメータから［数１］のような複素数行列で表されるＺパラメータが算出される。
【数１】
2020043686.tif 000003
【００２５】
続いて、Ｚパラメータの成分の実部及び絶対値より、［数２］に示されるようなｋＱ積が算出される。
【数２】
2020043686.tif 000004
【００２６】
ｋＱ積に関して、［数３］に示されるθを算出し、その正接を２乗することで［数４］に示されるような最大給電効率η＿ｍａｘが求められる。なお、ｋＱ積理論の詳細については、［先行技術文献］における非特許文献１を参考にされたい。
【数３】
2020043686.tif 000005
【数４】
2020043686.tif 000006
【００２７】
３．敷設方法
第３節では、前述した二次元無線給電シートＳａを路面又は床面に敷設するための敷設方法について説明する。以下、図７に示される各ステップＳ１〜Ｓ５を参照しながら詳述する。
【００２８】
［開始］
（ステップＳ１）
所望する路面又は床面において、導電層３を配置する（ステップＳ２に続く）。
【００２９】
（ステップＳ２）
続いて、ステップＳ１において配置された導電層３の上に誘電体層２ｂを配置する。かかる工程は、特許請求の範囲における「第１誘電体層配置工程」に相当する（ステップＳ３に続く）。
【００３０】
（ステップＳ３）
続いて、ステップＳ２において配置された誘電体層２ｂの上に極板４を配置する。かかる工程は、特許請求の範囲における「導体部材配置工程」に相当する（ステップＳ４に続く）。
【００３１】
（ステップＳ４）
続いて、ステップＳ３において配置された極板４をステップＳ２において配置された誘電体層２ｂとで挟むように、これらの上に誘電体層２ａを配置する。かかる工程は、特許請求の範囲における「第２誘電体層配置工程」に相当する（ステップＳ５に続く）。
【００３２】
（ステップＳ５）
最後に、ステップＳ４において配置された誘電体層２ａの上にメッシュ層１を配置する。かかる工程は、特許請求の範囲における「開口層配置工程」に相当する。
［終了］
【００３３】
各ステップでは、例えばロール状に巻かれた各層を構成する材料を伸ばしながら配置することが好ましい。具体的には例えば、ステップＳ３では、ロール状に巻かれた極板４を伸ばしながら誘電体層２ｂの上に配置すればよい。このような方法で各層を順に配置していく敷設方法を採用することによって、路面又は床面に安価に二次元無線給電シートＳａを配置することができる。もちろん、前述の通りモジュール化された二次元無線給電シートＳａを組み合わせる方法も考えられる。用途とコストに合わせて、モジュール式とロール配置式とを使い分けることが好ましい。
【００３４】
４．変形例
なお、次のような態様によって、本実施形態に係る二次元無線給電シートＳａを更に創意工夫してもよい。
【００３５】
第一に、前述の実施形態では、各層をｚ軸方向に重ねることによって二次元無線給電シートＳａを実現したが、導電層３については、誘電体層２の下面だけではなく側面部分も覆うように構成されてもよい。換言すると、導電層３が誘電体層２の周囲を囲むように構成されてもよい。特に、二次元無線給電シートＳａをモジュール化して予め定められたユニット単位で実施する場合には、好適な変形例である。
【００３６】
第二に、前述の実施形態では、各層をｚ軸方向に重ねることによって二次元無線給電シートＳａを実現したが、誘電体層２ａ、２ｂをｙ軸方向に並列しその間に極板４を挟むように実施してもよい（図８参照）。
【００３７】
第三に、前述の実施形態では、極板４を誘電体層２ａ、２ｂに挟むものとしているが、導体部材であれば極板４に限定されるものではない。例えば、円柱状や四角柱状の導体部材が、誘電体層２ａ、２ｂの間に挟まれる（埋め込まれる）ように実施してもよい。
【００３８】
第四に、前述の実施形態では、２層である誘電体層２ａ、２ｂを採用しているが、３層以上の誘電体層２を用いて二次元無線給電シートＳａを実施してもよい。かかる場合、少なくとも隣接する２層の間に極板４が挟まれるように実施すればよい。
【００３９】
第五に、受電カプラＣは、二次元無線給電シートＳａに合わせた設計が必要となるため、これらを１つのシステムとして業として実施してもよい。
【００４０】
５．結言
以上のように、本実施形態によれば、人体への安全性を担保しつつ所望の対象に効率的に給電可能な二次元無線給電シートＳａを実施することができる。
【００４１】
かかる二次元無線給電シートＳａは、誘電体層２と、開口１２を有する開口層（メッシュ層１）と、開口１２を有しない導電層３とを備え、誘電体層２は、開口層（メッシュ層１）及び導電層３に挟まれてなることで電磁波を導波可能に構成され、且つ２層以上からなり、そのうち少なくとも隣接する２層の間に導体部材（極板４）が設けられ、開口層（メッシュ層１）は、導体であって開口１２近傍の空間に電磁波の近接場が発生するように構成され、導電層３は、導体であって誘電体層２を挟んで開口層（メッシュ層１）に対向するように位置する。
【００４２】
また、人体への安全性を担保しつつ所望の対象に効率的に給電可能な二次元無線給電システムを実施することができる。
【００４３】
かかる二次元無線給電システムは、前述の二次元無線給電シートＳａと、受電カプラＣとを備え、受電カプラＣは、二次元無線給電シートＳａにおける開口層（メッシュ層１）に近接すると、誘電体層２を導波する電磁波から電気エネルギーを吸収可能に構成される。
【００４４】
また、人体への安全性を担保しつつ所望の対象に効率的に給電可能な二次元無線給電システムを敷設するための敷設方法を実施することができる。
【００４５】
かかる敷設方法は、路面又は床面に二次元無線給電シートを敷設するためのものであって、二次元無線給電シートＳａは、誘電体層２ｂと、導体部材（極板４）とを備え、当該敷設方法は、導体部材配置工程（ステップＳ３）を備え、導体部材配置工程（ステップＳ３）では、路面又は床面に敷設された誘電体層２ｂの上に導体部材（極板４）を配置する。
【００４６】
最後に、本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００４７】
１          ：メッシュ層
１１        ：導体部
１１ａ      ：導体部
１１ｂ      ：導体部
１２        ：開口
２          ：誘電体層
２ａ        ：誘電体層
２ｂ        ：誘電体層
３          ：導電層
４          ：極板
４１        ：端部
４２        ：端部
Ｃ          ：受電カプラ
Ｅ          ：電場ベクトル
Ｈ          ：磁場ベクトル
Ｓａ        ：二次元無線給電シート
Ｓｂ        ：二次元無線給電シート（比較例）
ｐ          ：メッシュ周期
ｗ          ：メッシュ幅
ε          ：比誘電率
η＿ｍａｘ  ：最大給電効率
【図１】
2020043686.tif 000007
【図２】
2020043686.tif 000008
【図３】
2020043686.tif 000009
【図４】
2020043686.tif 000010
【図５】
2020043686.tif 000011
【図６】
2020043686.tif 000012
【図７】
2020043686.tif 000013
【図８】
2020043686.tif 000014